(57)【要約】      （修正有）【課題】より利便性の高い紙葉類処理装置、及び紙葉類処理装置の制御方法を提供する。【解決手段】紙葉類を１枚ずつ取り込み搬送された紙葉類を検査し、検査結果に基づいて、紙葉類を区分して集積された紙葉類を帯により施封する紙葉類処理装置において、印字情報を生成する為の印字情報画面を表示する表示手段１１１と、印字情報画面に文字を入力可能な入力欄３０３乃至３０Ｎと印字可能範囲３０２とを表示させ、操作入力に基づいて文字データを生成し、生成した文字データを入力欄の中に表示させ、入力欄の中に表示された文字データが印字可能範囲を超える場合、文字データを強調表示する表示制御手段と、前記印字情報画面に表示された内容に基づいて印字情報を生成する印字情報生成手段と、印字情報に基づいて前記帯に印字する印字手段と、を具備する。【選択図】図３
2013161173.tif 000002
【特許請求の範囲】
【請求項１】
紙葉類を１枚ずつ取り込む取り込み手段と、
前記取り込み手段により取り込まれた前記紙葉類を搬送する搬送手段と、
前記搬送手段により搬送された前記紙葉類を検査する検査手段と、
前記検査手段による検査結果に基づいて、前記紙葉類を区分して集積する区分集積手段と、
前記区分集積手段により集積された前記紙葉類を帯により施封する施封手段と、
印字情報を生成する為の印字情報画面を表示する表示手段と、
前記印字情報画面に文字を入力可能な入力欄と印字可能範囲とを表示させ、操作入力に基づいて文字データを生成し、生成した前記文字データを前記入力欄の中に表示させ、前記入力欄の中に表示された前記文字データが前記印字可能範囲を超える場合、前記文字データを強調表示する表示制御手段と、
前記印字情報画面に表示された内容に基づいて印字情報を生成する印字情報生成手段と、
前記印字情報に基づいて前記帯に印字する印字手段と、
を具備する紙葉類処理装置。
【請求項２】
前記表示制御手段は、前記文字データが前記印字可能範囲を超える場合、前記文字データを異なる色で表示させる、請求項１に記載の紙葉類処理装置。
【請求項３】
前記表示制御手段は、前記文字データが前記印字可能範囲を超える場合、前記文字データを点滅表示させる、請求項１に記載の紙葉類処理装置。
【請求項４】
前記印字情報生成手段は、前記文字データが前記印字可能範囲を超える場合、前記印字情報の生成を禁止する、請求項１に記載の紙葉類処理装置。
【請求項５】
紙葉類を１枚ずつ取り込む取り込み手段と、前記取り込み手段により取り込まれた前記紙葉類を搬送する搬送手段と、前記搬送手段により搬送された前記紙葉類を検査する検査手段と、前記検査手段による検査結果に基づいて、前記紙葉類を区分して集積する区分集積手段と、前記区分集積手段により集積された前記紙葉類を帯により施封する施封手段と、を具備する紙葉類処理装置の制御方法であって、
印字情報を生成する為の印字情報画面を表示し、
前記印字情報画面に文字を入力可能な入力欄と印字可能範囲とを表示させ、
操作入力に基づいて文字データを生成し、
生成した前記文字データを前記入力欄の中に表示させ、
前記入力欄の中に表示された前記文字データが前記印字可能範囲を超える場合、前記文字データを強調表示し、
前記印字情報画面に表示された内容に基づいて印字情報を生成し、
前記印字情報に基づいて前記帯に印字する、
紙葉類処理装置の制御方法。
【発明の詳細な説明】
【技術分野】
【０００１】
本発明の実施形態は、紙葉類処理装置、及び紙葉類処理装置の制御方法に関する。
【背景技術】
【０００２】
従来、例えば紙幣などの紙葉類の計数及び判別を行う紙葉類処理装置が実用化されている。紙葉類処理装置は、投入部に投入された紙葉類を１枚ずつ取り込み、紙葉類の検査装置に搬送する。検査装置は、紙葉類に対して種々の処理を行い紙葉類の状態を判別する。
【０００３】
紙葉類処理装置は、封筒入金処理、またはバッチカード処理により入金処理を行う。即ち、紙葉類処理装置は、封筒入金処理を行う場合、投入された紙葉類を計数し、計数した金額とオペレータにより入力された金額との突合せを行い、入力された金額が投入されたか否か判別する。また、紙葉類処理装置は、バッチカード処理を行う場合、バッチカードと紙葉類の束とが交互に重ねられた束を処理する。この場合、紙葉類処理装置は、バッチカードを区切りとして紙葉類を計数する。
【０００４】
紙葉類処理装置は、検査装置の検査結果に基づいて、紙葉類の券種（ｃａｔｅｇｏｒｙ）を判別する。紙葉類処理装置は、例えば、紙葉類を券種毎に区分して集積する。
【０００５】
また、紙葉類処理装置は、紙葉類の表裏及び向きなどを判別する。紙葉類処理装置は、紙葉類の表裏及び向きに応じて紙葉類を区分して集積する。
【０００６】
また、紙葉類処理装置は、例えば、紙葉類に貼付されたテープ、紙葉類の折れ、紙葉類の汚れなどを検出する。紙葉類処理装置は、これらから紙葉類の汚損度（Ｆｉｔｎｅｓｓ  Ｌｅｖｅｌ）を検出する。紙葉類処理装置は、紙葉類の汚損度に応じて紙葉類を区分して集積する。
【０００７】
また、紙葉類処理装置に接続され、紙葉類を所定枚数毎に束ねる施封モジュールが実用化されている。また、紙葉類処理装置に複数の施封モジュールが接続される構成が実用化されている。
【先行技術文献】
【特許文献】
【０００８】
【特許文献１】特開２００１−６７５２２号公報
【特許文献２】特開２００３−１０９０６８号公報
【特許文献３】特開２００９−２９４９３３号公報
【発明の概要】
【発明が解決しようとする課題】
【０００９】
上記の紙葉類処理装置に接続される施封モジュールは、紙葉類を所定枚数毎に帯により束ねる。この場合、施封モジュールは、帯に種々の情報を印字することができる。帯に印字を行なう場合、紙葉類処理装置は、操作モジュールにより入力された情報（文字情報、及びコードなど）に基づいて印刷イメージを生成する。施封モジュールは、印刷イメージに基づいて紙葉類を束ねる帯に印字を行う。
【００１０】
しかし、印字する情報によっては、帯上の印字可能範囲を超える場合がある。このような場合、必要な情報が帯に正確に印字されない可能性がある。この結果、帯の印字をやり直す必要があるなど、オペレータの手間になるという課題がある。
【００１１】
そこで、より利便性の高い紙葉類処理装置、及び紙葉類処理装置の制御方法を提供することを目的とする。
【課題を解決するための手段】
【００１２】
一実施形態に係る紙葉類処理装置は、紙葉類を１枚ずつ取り込む取り込み手段と、前記取り込み手段により取り込まれた前記紙葉類を搬送する搬送手段と、前記搬送手段により搬送された前記紙葉類を検査する検査手段と、前記検査手段による検査結果に基づいて、前記紙葉類を区分して集積する区分集積手段と、前記区分集積手段により集積された前記紙葉類を帯により施封する施封手段と、印字情報を生成する為の印字情報画面を表示する表示手段と、前記印字情報画面に文字を入力可能な入力欄と印字可能範囲とを表示させ、操作入力に基づいて文字データを生成し、生成した前記文字データを前記入力欄の中に表示させ、前記入力欄の中に表示された前記文字データが前記印字可能範囲を超える場合、前記文字データを強調表示する表示制御手段と、前記印字情報画面に表示された内容に基づいて印字情報を生成する印字情報生成手段と、前記印字情報に基づいて前記帯に印字する印字手段と、を具備する。
【図面の簡単な説明】
【００１３】
【図１】図１は、一実施形態に係る紙葉類処理装置の例を示す図である。
【図２】図２は、一実施形態に係る紙葉類処理装置の例を示す図である。
【図３】図３は、一実施形態に係る紙葉類処理装置の機能の例を示す図である。
【発明を実施するための形態】
【００１４】
以下、図面を参照しながら紙葉類処理装置（紙幣処理装置）、及び紙葉類処理装置の制御方法の種々の実施形態について、詳細に説明する。
【００１５】
図１及び図２は、一実施形態に係る紙葉類処理装置１００の例を示す。  
紙葉類処理装置１００は、本体（メインモジュール）１２０、及び施封モジュール１３０を備える。なお、紙葉類処理装置１００は、複数の施封モジュール１３０を備える構成であってもよい。この場合、本体１２０に接続される複数の施封モジュール１３０は、それぞれ搬送路が直列となるように接続される。
【００１６】
紙葉類処理装置１００は、オペレータの操作に基づいて、紙葉類１の検査を行う。紙葉類処理装置１００は、検査を行った紙葉類１を集積、又は施封する。
【００１７】
本体１２０は、取込部１２１、搬送路１２２、検査部１２３、及び集積部１２４を備える。また、本体１２０には、表示部１１１及び操作部１１２などが接続される。また、本体１２０は、紙葉類１の搬送先を切り替える為の複数のゲートを搬送路１２２上に備える。
【００１８】
また、図２に示されるように本体１２０は、本体１２０の各部、及び施封モジュール１３０の動作を制御する主制御部１２５を備える。主制御部１２５は、ＣＰＵ１２５１、及びメモリ１２５２を備える。
【００１９】
ＣＰＵ１２５１は、種々の演算処理を行う。メモリ１２５２は、例えば、バッファメモリ、プログラムメモリ、及び不揮発性メモリなどを備えている。バッファメモリは、ＣＰＵ１２５１による演算結果を一時的に記憶する。プログラムメモリ及び不揮発性メモリは、ＣＰＵ１２５１が実行する種々のプログラム及び制御データなどを記憶する。
【００２０】
主制御部１２５は、ＣＰＵ１２５１によりメモリ１２５２に記憶されているプログラムを実行することにより、種々の処理を行うことができる。
【００２１】
取込部１２１は、紙葉類処理装置１００に取り込む紙葉類１をストックする供給部を備える。供給部は、重ねられた状態の紙葉類１をまとめて受け入れる装填口を備える。
【００２２】
また、取込部１２１は、分離ローラを備える。分離ローラは、供給部の端部に設置される。供給部に紙葉類１が投入される場合、分離ローラは、投入された１枚の紙葉類１に接するように設けられる。分離ローラは、回転することにより、供給部に装填される紙葉類１を１枚ずつ紙葉類処理装置１００の内部に取り込む。
【００２３】
分離ローラは、たとえば、１回転するごとに１枚の紙葉類１を取り込む。これにより、分離ローラは、紙葉類１を一定の間隔で取り込む。分離ローラにより取り込まれた紙葉類１は、搬送路１２２に導入される。
【００２４】
搬送路１２２は、紙葉類１を紙葉類処理装置１００内の各部に搬送する搬送部である。搬送路１２２は、図示しない搬送ベルト及び図示しない駆動プーリなどを備える。また、本体１２０は、搬送路１２２は、ドライバ１２７、及びモータ１２８を備える。ドライバ１２７は、モータ（駆動モータ）１２８を駆動させる。モータ１２８は、駆動するにより駆動プーリを駆動する。搬送ベルトは、駆動プーリにより動作する。
【００２５】
搬送路１２２は、取込部１２１の分離ローラにより取り込まれる紙葉類１を搬送ベルトにより一定速度で搬送する。なお、搬送路１２２において取込部１２１に近い側を上流側、逆側を下流側として説明する。
【００２６】
また、搬送路１２２は、センサ１２６を備える。センサ１２６は、搬送路１２２により搬送される紙葉類１の搬送状態を検知する。例えば、センサ１２６は、搬送路上における紙葉類１の位置、スキュー量、及び搬送ギャップなどを検知する。
【００２７】
例えば、センサ１２６は、紙葉類１の中心を特定し、特定した中心からのズレを計測することにより、搬送ズレを検知する。また、例えば、センサ１２６は、紙葉類１の搬送方向に対する傾きを計測することにより、スキュー量を検知する。また、例えば、センサ１２６は、紙葉類１の搬送方向における後端と、次に搬送される紙葉類１の搬送方向における先端との距離を測定することにより、搬送ギャップを検知する。
【００２８】
検査部１２３は、紙葉類１の検査を行う。検査部１２３は、真偽検知部、正損検知部、券種検知部、及び記番号検知部を備える。  
真偽検知部は、紙葉類１が真券(ｇｅｎｕｉｎｅ)であるか、偽券(ｃｏｕｎｔｅｒｆｅｉｔ)であるかを検知する。真偽検知部は、例えば紙葉類１の物理的特性（特徴）を検知する物理特性検知部、及び／または、磁気検知部などを備える。物理特性検知部は、例えば、紙葉類１から蛍光特性、または赤外線特性などを検知する。磁気検知部は、例えば、紙葉類１から磁気特性を検知する。真偽検知部は、物理特性検知部、及び／または磁気検知部における検知結果に基づいて紙葉類１の真偽（ａｕｔｈｅｎｔｉｃａｔｉｏｎ）を判定する。
【００２９】
正損検知部は、紙葉類１の正損（Ｆｉｔｎｅｓｓ）を検知する。即ち、正損検知部は、紙葉類１が再流通可能（ｒｅｃｉｒｃｕｌａｔａｂｌｅ）な正券（ｆｉｔ  ｓｈｅｅｔ）であるか、再流通不可能（ｕｎｒｅｃｉｒｃｕｌａｔａｂｌｅ）な損券（ｕｎｆｉｔ  ｓｈｅｅｔ）であるかを検知する。例えば、正損検知部は、紙葉類１の物理的特性を検知し、検知結果に基づいて、紙葉類１の正損を判定する。なお、正損検知部は、真偽検知部により真券であると判定された紙葉類１に対して正損を判定する。
【００３０】
券種検知部は、紙葉類１の券種（ｃａｔｅｇｏｒｙ）及び額面（ｄｅｎｏｍｉｎａｔｉｏｎ）を検知する。券種検知部は、紙葉類１の両面から光学的特徴（画像）を検知する。また、券種検知部は、紙葉類１の券種を判定する為の辞書を備える。
【００３１】
券種検知部は、紙葉類１から取得した画像に基づいて、特徴量（ｆｅａｔｕｒｅ  ｖａｌｕｅ）を抽出する。券種検知部は、抽出した特徴量と、辞書に記憶されている券種毎のパラメータとの類似度を算出する。券種検知部は、算出した類似度と、予め設定される閾値とに基づいて、紙葉類１の券種を検知する。さらに、券種検知部は、紙葉類１の表／裏、正向き／逆向きを検知する。なお、以下、紙葉類１の表裏、及び正逆をまとめて券種と称する。
【００３２】
記番号検知部は、紙葉類１に記載されている記番号を検知する。記番号検知部は、紙葉類１から画像を取得し、取得した画像に対して文字認識し、紙葉類１の記番号を取得する。
【００３３】
なお、検査部１２３は、真偽検知部、正損検知部、券種検知部、及び記番号検知部の処理に用いられる紙葉類１の画像を取得する画像取得部を有する。
【００３４】
集積部１２４は、紙葉類１を検査部１２３により検知する券種毎に区分して集積する。集積部１２４は、例えば、紙葉類１を集積する複数のポケットを備える。本体１２０は、検査部１２３の検査結果に基づいて、上記のゲートを制御することにより、紙葉類１の搬送先のポケットを切り替える。また、本体１２０は、上記のゲートを制御することにより、紙葉類１を施封モジュール１３０に搬送させるように制御することができる。
【００３５】
表示部１１１は、本体１２０から出力された画面（映像信号）を表示する。表示部１１１は、例えば、液晶表示器、有機ＥＬディスプレイ、または他の表示装置を備える。表示部１１１は、例えば、オペレータに対して各種の操作案内、及び処理結果などを表示する。
【００３６】
操作部１１２は、オペレータによる操作に基づいて操作信号を生成する。操作部１１２は、例えば、操作キー、キーボード、マウス、音声入力装置、タッチパッド、または他の操作入力が可能なモジュールを備える。操作部１１２は、生成した操作信号を本体１２０に供給する。
【００３７】
なお、タッチパッドは、静電センサ、サーモセンサ、または他の方式に基づいて位置情報を生成するデバイスを含む。また、表示部１１１と操作部１１２とが一体に形成されるタッチパネルなどにより構成されていてもよい。表示部１１１及び操作部１１２は、タッチパネルに表示されるボタンと、タッチパネルに対するオペレータによる操作と、に基づいて、各種の操作信号を生成する。
【００３８】
施封モジュール１３０は、本体１２０から供給される紙葉類１を集積庫（カセット）に集積し、所定数毎に帯（紙帯）で施封する。施封モジュール１３０は、集積部１３１及び施封装置１３２を備える。
【００３９】
また、図２に示されるように施封モジュール１３０は、施封モジュール１３０の各部の動作を制御する副制御部１３３を備える。副制御部１３３は、ＣＰＵ、及びメモリを備える。
【００４０】
副制御部１３３のＣＰＵは、メモリに記憶されているプログラムを実行することにより、種々の処理を行うことができる。
【００４１】
集積部１３１は、本体１２０から供給される紙葉類１を集積する。この為に、集積部１３１は、紙葉類１を集積するカセットを備える。なお、集積部１３１は、複数のカセットを備えていてもよい。
【００４２】
また、集積部１３１は、紙葉類１を整位する整位機構を備えていてもよい。整位機構は、集積部１３１に供給された紙葉類１を整位する。これにより、紙葉類１は、綺麗に整位された状態でカセットに集積される。
【００４３】
施封装置１３２は、集積部１３１により集積された複数の紙葉類１を施封する。施封装置１３２は、集積部１３１に集積された所定枚数（たとえば１００枚）の紙葉類１を紙帯（施封帯）で施封する。
【００４４】
施封装置１３２は、印字部１３４、帯供給部１３５と、帯巻き機構１３６と、を備える。印字部１３４は、紙葉類１に施封する帯（施封帯）に対して種々の情報を印字する。印字部１３４は、副制御部１３３、及び本体１２０の主制御部１２５の制御に基づいて、施封帯に印字する情報を決定する。印字部１３４は、例えば、インクジェットプリンタ、ドットプリンタ、レーザプリンタ、サーマルヘッド、または他の情報を印字可能なモジュールを備える。
【００４５】
帯供給部１３５は、紙葉類１を施封するための施封帯を帯巻き機構１３６に供給する。この為に、帯供給部１３５は、施封帯をストックするストッカーと、施封帯を帯巻き機構１３６に引き出す引き出し機構と、引き出した施封帯を裁断する裁断部とを備える。帯供給部１３５は、副制御部１３３の制御に基づいて、施封帯を帯巻き機構１３６に引き出し、副制御部１３３により指示された長さで施封帯を裁断する。
【００４６】
帯巻き機構１３６は、帯供給部１３５から供給された施封帯を紙葉類１に巻き付ける。即ち、帯巻き機構１３６は、集積部１３１により集積された複数の紙葉類１に対して、帯供給部１３５から供給された施封帯を巻き付け、紙葉類１を結束する。
【００４７】
また、施封モジュール１３０は、施封装置１３２により施封された紙葉類１の束を外部から取り出し可能な状態で排出する取り出し口をさらに備えていてもよい。
【００４８】
主制御部１２５は、操作部１１２により入力される情報（入力情報）に基づいて、印字部１３４により施封帯に印字させる内容（印字情報）を決定する。主制御部１２５は、印字情報を副制御部１３３に供給する。
【００４９】
副制御部１３３は、主制御部１２５から供給された印字情報に基づいて印字部１３４が印刷可能な画像（印字用画像）を生成する。副制御部１３３は、印字用画像を印字部１３４に供給する。印字部１３４は、帯供給部１３５から供給された施封帯に、副制御部１３３から供給された印字用画像を印字する。
【００５０】
図３は、印字情報を決定する為の画面（印字情報画面）の例を示す。  
主制御部１２５は、印字情報画面を生成し、モニタ（表示部）１１１に出力する。表示部１１１は、主制御部１２５から供給された印字情報画面を表示する。これにより、紙葉類処理装置１００は、印字情報をオペレータに逐次確認させることができる。
【００５１】
主制御部１２５は、帯イメージ３０１、印字可能範囲を示す枠３０２、入力欄３０３乃至３０Ｎを印字情報画面に表示させる。帯イメージ３０１は、印字部１３４により印字が行われる範囲を含む施封帯の像を示す。枠３０２は、印字部１３４により印字可能な範囲を示す。なお、印字可能範囲は、例えば、印字部１３４の仕様などにより異なる。この為、主制御部１２５は、予め印字可能範囲を設定する。
【００５２】
入力欄３０３乃至３０Ｎは、それぞれ情報を入力することができる入力欄である。また、入力欄３０３乃至３０Ｎは、それぞれ実際に印字情報が印字される位置を示している。なお、主制御部１２５は、入力欄３０３乃至３０Ｎのそれぞれの位置を、操作部１１２に入力される操作入力に応じて変更することができる。
【００５３】
また、主制御部１２５は、操作部１１２に入力される操作入力に応じて、入力欄３０３乃至３０Ｎにそれぞれ情報を入力することができる。入力欄３０３乃至３０Ｎに入力される情報は、如何なる言語によるものであってもよい。
【００５４】
即ち、主制御部１２５は、操作入力に応じて言語を設定する。また、主制御部１２５は、操作入力に応じて、入力欄３０３乃至３０Ｎのうちの１つを選択する。主制御部１２５は、操作入力と設定した言語とに応じて、文字列を生成する。主制御部１２５は、生成した文字列を選択した入力欄に表示させる。
【００５５】
主制御部１２５は、例えば、日付、オペレータＩＤ、媒体の種類、管理情報、シリアル番号、アサイン情報、銀行のロゴ、管理者サインイメージ、及び、他の任意のデータを入力欄３０３乃至３０Ｎにそれぞれ表示させることができる。
【００５６】
またさらに、主制御部１２５は、操作入力に応じて入力欄に入力するデータのフォーマットを設定する。例えば、施封帯に日付を印字する場合、主制御部１２５は、操作入力に応じて「日」、「月」、及び「年」を並び替えることにより、印字するデータのフォーマットを設定する。
【００５７】
またさらに、主制御部１２５は、操作入力に応じて各入力欄中の文字の印字方向を設定する構成であってもよい。
【００５８】
主制御部１２５は、各入力欄において、入力文字数の制限をする構成であってもよい。例えば、主制御部１２５は、日付の入力欄には、「日」として２桁、「月」として２桁、「年」として４桁の文字データが入力されている場合、入力された文字データが正しいと判断する。即ち、主制御部１２５は、入力欄中の文字データの桁数が設定された桁数と異なる場合、エラーを検知する。
【００５９】
また、主制御部１２５は、各入力欄に入力された文字データに誤りがあるか否か判定する構成であってもよい。例えば、主制御部１２５は、オペレータＩＤの入力欄に入力される文字種を数字のみ、または英字のみなどに限定してもよい。主制御部１２５は、設定された文字種以外が入力欄に入力されている場合、エラーを検知する。
【００６０】
また、主制御部１２５は、入力が必須である項目を設定してもよい。この場合、主制御部１２５は、必須項目の入力欄に文字データが入力されていない場合、または、入力された文字データが不足している場合、エラーを検知する。
【００６１】
主制御部１２５は、エラーを検知した入力欄を特定表示する。これにより、主制御部１２５は、エラーが発生したこと、及びエラーが発生した入力欄を紙葉類処理装置１００のオペレータに報知することができる。
【００６２】
また、上記したように、主制御部１２５は、入力欄３０３乃至３０Ｎのそれぞれの位置を、操作部１１２に入力される操作入力に応じて変更することができる。この為に、主制御部１２５は、入力欄３０３乃至３０Ｎの位置を示す情報をそれぞれ生成する。
【００６３】
入力欄の位置を示す情報（位置情報）は、例えば、入力欄の四隅の座標、入力欄の１つの角の座標及び入力欄の大きさ、または他の方式により構成される。なお、主制御部１２５は、各入力欄の位置情報の初期値を予めメモリ１２５２などに記憶している。また、主制御部１２５は、各入力欄の現在の位置情報をそれぞれメモリ１２５２に記憶する。主制御部１２５は、操作入力に応じて、メモリ１２５２に記憶されている現在の位置情報を書き換えることにより、各入力欄の位置を変更することができる。
【００６４】
例えば、主制御部１２５は、入力欄の角、または入力欄の辺をドラッグする操作入力が入力された場合、ドラッグ後の位置に入力欄の位置情報を書き換える。また、主制御部１２５は、各入力欄の位置情報を初期値に戻す操作入力が入力された場合、メモリ１２５２に記憶されている入力欄の位置情報の初期値を現在の位置情報として上書きする。
【００６５】
また、主制御部１２５は、印字可能範囲を示す枠３０２を、実線、点線、または他の視認可能な線により表示する。これにより、印字可能範囲を紙葉類処理装置１００のオペレータに報知することができる。
【００６６】
また、主制御部１２５は、印字可能範囲を枠ではなくハッチングにより示す構成であってもよい。例えば、主制御部１２５は、印字可能範囲に対応する範囲を帯イメージ３０１とは異なる色により塗り潰す構成であってもよい。この場合、主制御部１２５は、各入力欄を最前のレイヤーとして表示することにより、各入力欄の可視性を担保しつつ、印字可能範囲をオペレータに認識させることができる。
【００６７】
またさらに、主制御部１２５は、入力欄に入力された文字データが上記の印字可能範囲を超える場合、この文字データを特定可能な状態で表示する。例えば、主制御部１２５は、印字可能範囲を超えた範囲の文字データを、異なる色で表示する。また、例えば、主制御部１２５は、文字データのうちの印字可能範囲を超えた範囲の文字を、他の文字とは異なる色で表示する。また、例えば、主制御部１２５は、印字可能範囲を超えた範囲の文字データを含む入力欄の枠を、他の入力欄とは異なる色で表示する。また、例えば、主制御部１２５は、入力欄の枠の印字可能範囲を超えた箇所を異なる色で表示する。
【００６８】
上記したように、主制御部１２５は、入力欄中の文字データの印字位置が、印字可能範囲を超えていることをオペレータが容易に確認することができるように強調して表示する。さらに、主制御部１２５は、印字可能範囲を超えている文字をオペレータが容易に確認することができるように強調して表示する。
【００６９】
また、主制御部１２５は、上記したように異なる色で表示するのではなく、他の方法により強調表示を行う構成であってもよい。例えば、主制御部１２５は、文字データが印字可能範囲を超えている場合、点滅表示を行う構成であってもよい。また、例えば、主制御部１２５は、文字データが印字可能範囲を超えている場合、太字表示を行う構成であってもよい。また、例えば、主制御部１２５は、文字データが印字可能範囲を超えている場合、囲み線を表示する構成であってもよい。また、例えば、主制御部１２５は、文字データが印字可能範囲を超えている場合、網掛けを行う構成であってもよい。
【００７０】
また、主制御部１２５は、上記したエラーを検知した場合、または、文字データが印字可能範囲を超えている場合、印字情報を副制御部１３３に供給することを防ぐように制御する構成であってもよい。即ち、主制御部１２５は、上記したエラーを検知した場合、または、文字データが印字可能範囲を超えている場合、印字情報の生成を禁止する。これにより、紙葉類処理装置１００は、印字情報が誤ったまま施封帯に印字することを防ぐことができる。
【００７１】
上記した処理により、主制御部１２５は、各入力欄ごとに、現在の位置情報と、文字データとを生成することができる。主制御部１２５は、全ての入力欄の位置情報及び文字データを印字情報として副制御部１３３に供給する。また、主制御部１２５は、文字データにフォント（文字種）を示す情報を付加してもよい。
【００７２】
副制御部１３３は、供給された印字情報に基づいて描画（レンダリング）を行い、印字用画像を生成する。副制御部１３３は、印字用画像を印字部１３４により施封帯に印字する。なお、副制御部１３３は、描画時に入力欄の枠を取り除く構成であってもよい。
【００７３】
上記した実施形態に係る紙葉類処理装置１００は、各入力欄及び入力欄に入力された文字データを逐次印字情報画面に表示させる。またさらに、紙葉類処理装置１００は、印刷可能範囲を視認可能な状態で印字情報画面に表示させる。これにより、オペレータに直感的に印字される文字データ及び位置を認識させることができる。またさらに、紙葉類処理装置１００は、印字可能範囲を文字データが超えた場合、超えた箇所を強調表示する。
【００７４】
これにより、紙葉類処理装置１００は、この印字情報がエラーを含むことをオペレータに直感的に認識させることができる。この結果、オペレータは、印字する文字データのレイアウトなどを紙葉類処理装置１００に容易に設定させることができる。また、印字情報にエラーを事前にオペレータに認識させることが出来る為、施封帯の消耗を削減することができる。この結果、より利便性の高い紙葉類処理装置、及び紙葉類処理装置の制御方法を提供することができる。
【００７５】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【００７６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００７７】
１００…紙葉類処理装置、１１１…表示部、１１２…操作部、１２０…本体、１２１…取込部、１２２…搬送路、１２３…検査部、１２４…集積部、１２５…主制御部、１２６…センサ、１２７…ドライバ、１２８…モータ、１３０…施封モジュール、１３１…集積部、１３２…施封装置、１３３…副制御部、１３４…印字部、１３５…帯供給部、１３６…帯巻き機構、１２５１…ＣＰＵ、１２５２…メモリ。
【図１】
2013161173.tif 000003
【図２】
2013161173.tif 000004
【図３】
2013161173.tif 000005